(57)【要約】【課題】休息者が寒さを感じることなく快適に休息できるベッドを得る。【解決手段】保温冷却ベッド１０は、ベッド本体１２と、保温用ペルチェ素子２２と、駆動装置２６とを備える。駆動装置２６によって保温用ペルチェ素子２２が駆動されると、保温用ペルチェ素子２２がベッド本体１２の上部１８を保温する。このため、ベッド本体１２の上部１８に横たわった休息者が寒さを感じていた場合には、この休息者の身体が温められる。従って、休息者は、寒さを感じずに快適に休息できる。【選択図】図１
2008132087.tif 000002
【特許請求の範囲】
【請求項１】
休息者が横たわるベッド本体と、
前記ベッド本体に設けられ、前記ベッド本体を保温すると共に前記ベッド本体を冷却することで前記ベッド本体に横たわった休息者の身体の温度を調整する温度調整手段と、
を備えたベッド。
【請求項２】
前記温度調整手段によって保温及び冷却される前記ベッド本体の温度を設定する温度設定手段を備えた請求項１に記載のベッド。
【請求項３】
前記ベッド本体の温度及び前記ベッド本体の周囲の温度の少なくとも一方を検知する温度センサを備え、
前記温度設定手段は、前記温度センサの検知結果に基づいて、前記温度調整手段によって保温及び冷却される前記ベッド本体の温度を設定する、
ことを特徴とする請求項２に記載のベッド。
【請求項４】
前記温度調整手段は、
前記ベッド本体を保温する保温用ペルチェ素子及び前記ベッド本体を冷却する冷却用ペルチェ素子と、
前記保温用ペルチェ素子及び前記冷却用ペルチェ素子に接続され、前記温度設定手段による設定内容に基づいて、前記保温用ペルチェ素子又は前記冷却用ペルチェ素子を駆動させる駆動装置と、
を有する請求項２に記載のベッド。
【発明の詳細な説明】
【技術分野】
【０００１】
本発明は、人が休息するためのベッドに関する。
【背景技術】
【０００２】
人が休息するためのベッドが提案されており、その一例が下記特許文献１に開示されている。
【０００３】
特許文献１に開示されているベッドはベッド本体を備えており、このベッド本体は、休息者が横たわるものである。さらに、このベッド本体には、冷却枕が設けられている。冷却枕は枕体を備えており、この枕体によって、ベッド本体に横たわった休息者の頭部が支持される。この枕体には、冷却デバイスがヒートパイプを介して取り付けられており、冷却デバイスは、ヒートパイプを介して枕体の持つ熱を吸収することで枕体を冷却する。冷却デバイスがヒートパイプを介して枕体の熱を吸収すると、枕体が冷却されて、ベッド本体に横たわった休息者の頭部が冷やされる構成である。
【０００４】
しかしながら、例えば冷却デバイスの非作動状態で休息者が寒さを感じていた場合には、冷却デバイスが作動するか否かに拘わらず、休息者は寒さを感じ続けてしまう。このため、休息者は、不快感を解消できない。
【特許文献１】特開２００２−２９１７９０号公報
【発明の開示】
【発明が解決しようとする課題】
【０００５】
本発明は、上記事実を考慮し、休息者が寒さを感じることなく快適に休息できるベッドを得ることを目的とする。
【課題を解決するための手段】
【０００６】
本発明は、基本的には、ベットを保温するとともに冷却することができる温度調整手段とを備えることで、休息者が寒さを感じることなく快適に休息できるベッドを提供できるという知見に基づくものである。すなわち、本発明は、基本的には、休息者が横たわるベッド本体と、前記ベッド本体に設けられ、前記ベッド本体を保温すると共に前記ベッド本体を冷却することで前記ベッド本体に横たわった休息者の身体の温度を調整する温度調整手段と、を備えている。休息者の身体の温度とは、休息者の身体の少なくとも一部分の温度をいい、休息者の体温に限らず、例えば、休息者の頭部、腰部、脚部等の身体の部分的な箇所の温度でもよい。
【０００７】
温度調整手段がベッド本体を保温すると共にこのベッド本体を冷却すると、ベッド本体に横たわった休息者の身体の温度が調整される。このため、休息者が寒さを感じていた場合には、休息者の身体が温められて、休息者は寒さを感じることなく快適に休息できる一方、休息者が暑さを感じていた場合には、休息者の身体が冷やされて、休息者は暑さを感じることなく快適に休息できる。
【０００８】
本発明の好ましい態様は、前記温度調整手段によって保温及び冷却される前記ベッド本体の温度を設定する温度設定手段を備えている。
【０００９】
温度調整手段によって保温及び冷却されるベッド本体の温度が、温度設定手段によって設定される。このため、ベッド本体の温度が、例えば休息者の所望の温度に調整される。従って、休息者は、より一層快適に休息できる。
【００１０】
本発明の好ましい態様は、前記ベッド本体の温度及び前記ベッド本体の周囲の温度の少なくとも一方を検知する温度センサを備え、前記温度設定手段は、前記温度センサの検知結果に基づいて、前記温度調整手段によって保温及び冷却される前記ベッド本体の温度を設定する。
【００１１】
本発明の好ましい態様は、ベッド本体の温度及びこのベッド本体の周囲の温度の少なくとも一方が、温度センサによって検知される。次いで、この温度センサの検知結果に基づいて、温度調整手段によって保温及び冷却されるベッド本体の温度が温度設定手段によって設定される。このため、ベッド本体の温度が、ベッド本体の温度及びこのベッド本体の周囲の温度の少なくとも一方に基づいて、例えば休息者の所望の温度に調整される。従って、休息者は、さらにより一層快適に休息できる。
【００１２】
本発明の好ましい態様は、前記温度調整手段は、前記ベッド本体を保温する保温用ペルチェ素子及び前記ベッド本体を冷却する冷却用ペルチェ素子と、前記保温用ペルチェ素子及び前記冷却用ペルチェ素子に接続され、前記温度設定手段による設定内容に基づいて、前記保温用ペルチェ素子又は前記冷却用ペルチェ素子を駆動させる駆動装置と、を有する。
【００１３】
この態様では、駆動装置が、温度設定手段による設定内容に基づいて、保温用ペルチェ素子又は冷却用ペルチェ素子を駆動する。次いで、保温用ペルチェ素子がベッド本体を保温すると共に、冷却用ペルチェ素子が上記ベッド本体を冷却する。
【００１４】
ここで、保温用ペルチェ素子及び冷却用ペルチェ素子は、駆動時であっても静穏性を有する。このため、休息者の休息（例えば、睡眠）を妨げることなくベッド本体の温度を調整できる。
【発明の効果】
【００１５】
以上説明したように本発明は、休息者が寒さを感じることなく快適に休息できるという優れた効果を有する。
【発明を実施するための最良の形態】
【００１６】
図１には、本発明の実施の形態に係るベッドとしての保温冷却ベッド１０の主要部が斜視図（一部ブロック図）にて示されている。
【００１７】
保温冷却ベッド１０は、略矩形箱状のベッド本体１２を備えている。ベッド本体１２の底部１４には、底部１４に対応した略矩形状の開口部１４Ａが形成されている。この底部１４のうち開口部１４Ａの周囲が縁部１４Ｂとされており、この縁部１４Ｂの屈曲部分には、例えば円柱状の脚部１６が軸方向を上下方向（ベッド本体１２の底部１４と上部１８との対向方向）にしてそれぞれ設けられて、ベッド本体１２を下方から支持している。また、ベッド本体１２の上部１８は、閉塞されている。このようなベッド本体１２は、その上部１８の表面１８Ａに休息者が横たわるものである。
【００１８】
図２及び図３にも示されるように、ベッド本体１２の上部１８の裏面１８Ｂには、裏面１８Ｂに対応した略矩形シート状の熱伝導シート２０が密着して取り付けられている。熱伝導シート２０は熱伝導性を有しており、この熱伝導シート２０は、例えば、金属から成っている。
【００１９】
図２に示されるように、熱伝導シート２０の下面（熱伝導シート２０に対してベッド本体１２の上部１８とは反対側の面）２０Ａには、温度調整手段を構成する保温用ペルチェ素子２２が設けられている。保温用ペルチェ素子２２は、ベッド本体１２の長手方向に沿って、ベッド本体１２の内部に複数設けられている。本実施の形態では、６個の保温用ペルチェ素子２２が熱伝導シート２０に設けられている。これらの保温用ペルチェ素子２２は、ベッド本体１２の上部１８の長手方向に沿って２個ずつ離間して配置されており、さらに、これら各２個の保温用ペルチェ素子２２は、ベッド本体１２の上部１８の長手方向に沿った中心線ＣＬに対して対象に配置されている。各保温用ペルチェ素子２２の放熱面２２Ａは、熱伝導シート２０の下面２０Ａに密着して取り付けられている。このため、保温用ペルチェ素子２２は、電流が印加された場合には、熱伝導シート２０を加熱し、この熱伝導シート２０がベッド本体１２の上部１８に放熱することによって、ベッド本体１２の上部１８を保温する。またこのとき、保温用ペルチェ素子２２の吸熱面２２Ｂは、ベッド本体１２内の空気から吸熱する。
【００２０】
また、図３に示されるように、熱伝導シート２０の下面２０Ａには、温度調整手段を保温用ペルチェ素子２２と共に構成する冷却用ペルチェ素子２４が設けられている。冷却用ペルチェ素子２４は、ベッド本体１２の長手方向に沿って、ベッド本体１２の内部の保温用ペルチェ素子２２とは異なる位置に複数設けられている。本実施の形態では、６個の冷却用ペルチェ素子２４が熱伝導シート２０に設けられている。これらの冷却用ペルチェ素子２４は、ベッド本体１２の上部１８の長手方向に沿って２個ずつ離間すると共に前述した各２個の保温用ペルチェ素子２２と交互にして配置されており、さらに、これら各２個の冷却用ペルチェ素子２４は、ベッド本体１２の上部１８の長手方向に沿った中心線ＣＬに対して対象に配置されている。各冷却用ペルチェ素子２４の吸熱面２４Ａは、熱伝導シート２０の下面２０Ａに密着して取り付けられている。このため、冷却用ペルチェ素子２４は、電流が印加された場合には、熱伝導シート２０を冷却し、この熱伝導シート２０がベッド本体１２の上部１８から吸熱することによって、ベッド本体１２の上部１８を冷却する。またこのとき、冷却用ペルチェ素子２４の放熱面２４Ｂは、ベッド本体１２内の空気から吸熱する。
【００２１】
以上説明したような保温用ペルチェ素子２２及び冷却用ペルチェ素子２４は、ベッド本体１２の上部１８を保温すると共にベッド本体１２の上部１８を冷却することで、ベッド本体１２の上部１８に横たわった休息者の身体の温度を調整する。
【００２２】
また、図１に示されるように、保温用ペルチェ素子２２及び冷却用ペルチェ素子２４の各々には、温度調整手段を保温用ペルチェ素子２２及び冷却用ペルチェ素子２４と共に構成する駆動装置２６が接続されている。さらに、この駆動装置２６には、温度設定手段を構成する温度設定装置２８が接続されている。駆動装置２６は、温度設定装置２８による設定内容に基づいて、保温用ペルチェ素子２２及び冷却用ペルチェ素子２４の各々に与える電流を独立に調節し、保温用ペルチェ素子２２及び冷却用ペルチェ素子２４を独立に駆動させる。
【００２３】
温度設定装置２８は、例えばポテンショメータ等を用いた操作部（図示省略）を有しており、この操作部が休息者に操作されることで、保温用ペルチェ素子２２及び冷却用ペルチェ素子２４によって保温及び冷却されるベッド本体１２の上部１８の温度を駆動装置２６に設定する。
【００２４】
この温度設定装置２８には、温度センサとしてのベッド温度センサ３０が複数（本実施の形態では、３個）接続されている。これらのベッド温度センサ３０は、例えば前述の熱伝導シート２０の下面２０Ａに設けられている。本実施の形態では、これらのベッド温度センサ３０はベッド本体１２の長手方向に沿った中心線ＣＬに沿って互いに離間して配置されており、ベッド温度センサ３０は、この中心線ＣＬに対して前述の如く対象に配置された一対の保温用ペルチェ素子２２（もしくは一対の冷却用ペルチェ素子２４）につき１個配置されている。これらのベッド温度センサ３０は、熱伝導シート２０の温度を検知することでベッド本体１２の上部１８の温度を検知する。
【００２５】
また、温度設定装置２８には、温度センサとしての周囲温度センサ３２が接続されている。この周囲温度センサ３２は、ベッド本体１２の周囲の温度（例えば保温冷却ベッド１０が室内に設置されている場合には、この室内の温度）を検知する。
【００２６】
温度設定装置２８は、前述の温度設定装置２８の図示しない操作部の操作結果だけでなくベッド温度センサ３０及び周囲温度センサ３２の検知結果にも基づいて、保温用ペルチェ素子２２及び冷却用ペルチェ素子２４によって保温及び冷却されるベッド本体１２の上部１８の温度を駆動装置２６に設定する。
【００２７】
次に、本実施の形態に係る保温冷却ベッド１０の作用について説明する。保温冷却ベッド１０の温度設定装置２８の図示しない操作部が休息者に操作されると、休息者の所望するベッド本体１２の上部１８の設定温度情報（上記の操作部の操作結果）が温度設定装置２８に入力される。このとき、温度設定装置２８にはベッド温度センサ３０の検知結果及び周囲温度センサ３２の検知結果の双方が入力されて、上記の操作部の操作結果、ベッド温度センサ３０の検知結果、及び周囲温度センサ３２の検知結果に基づいて、保温用ペルチェ素子２２によって保温されるベッド本体１２の上部１８の温度（もしくは、冷却用ペルチェ素子２４によって冷却されるベッド本体１２の上部１８の温度）が、温度設定装置２８によって駆動装置２６に設定される。
【００２８】
ここで、温度設定装置２８によって駆動装置２６に設定された温度がベッド本体１２の上部１８の温度よりも高い場合（例えば、休息者が寒さを感じていた場合に相当する）には、駆動装置２６によって、各保温用ペルチェ素子２２に電流が印加されて、各保温用ペルチェ素子２２が駆動される。このため、保温用ペルチェ素子２２によって、熱伝導シート２０が加熱される。この結果、ベッド本体１２の上部１８が保温される。従って、ベッド本体１２に横たわっている休息者の身体が温められる。これにより、休息者は寒さを感じることなく快適に休息できる。
【００２９】
一方、温度設定装置２８によって駆動装置２６に設定された温度がベッド本体１２の上部１８の温度よりも低い場合（例えば、休息者が暑さを感じていた場合に相当する）には、駆動装置２６によって、各冷却用ペルチェ素子２４に電流が印加されて、各冷却用ペルチェ素子２４が駆動される。このため、冷却用ペルチェ素子２４によって、熱伝導シート２０が冷却される。この結果、ベッド本体１２の上部１８が冷却される。従って、ベッド本体１２に横たわっている休息者の身体が冷やされる。これにより、休息者は暑さを感じることなく快適に休息できる。
【００３０】
以上のようにして、ベッド本体１２の上部１８に横たわった休息者の身体の温度が調整される。ここで、保温用ペルチェ素子２２及び冷却用ペルチェ素子２４は、駆動時であっても静穏性を有する。このため、休息者の休息（例えば、睡眠）を妨げることなくベッド本体１２の上部１８の温度を調整できる。
【００３１】
また、前述の如く、保温冷却ベッド１０では、温度設定装置２８の図示しない操作部が休息者に操作されることで、保温用ペルチェ素子２２及び冷却用ペルチェ素子２４によって保温及び冷却されるベッド本体１２の上部１８の温度が温度設定装置２８によって駆動装置２６に設定される。このため、ベッド本体１２の上部１８の温度が、例えば休息者の所望の温度に調整される。従って、休息者は、より一層快適に休息できる。
【００３２】
また、保温冷却ベッド１０では、ベッド本体１２の上部１８の温度がベッド温度センサ３０によって検知される構成であるので、前述の如く保温用ペルチェ素子２２及び冷却用ペルチェ素子２４によって調整されるベッド本体１２の上部１８の温度が、ベッド温度センサ３０の検知結果に基づいて、温度設定装置２８によって繰り返し駆動装置２６に設定される。このとき、ベッド本体１２の周囲の温度も周囲温度センサ３２によって検知されるので、温度設定装置２８は、前述のベッド本体１２の上部１８の温度設定を、ベッド温度センサ３０の検知結果だけでなく周囲温度センサ３２の検知結果にも基づいて行う。この結果、ベッド本体１２の上部１８の温度が、例えば休息者の所望の温度となるように繰り返し調整される。従って、休息者は、さらにより一層快適に休息できる。
【００３３】
また、ベッド温度センサ３０は、ベッド本体１２の長手方向に沿った中心線ＣＬに対して前述の如く対象に配置された一対の保温用ペルチェ素子２２（もしくは一対の冷却用ペルチェ素子２４）に対して１個配置されている。このため、熱伝導シート２０のうち上記一対の保温用ペルチェ素子２２（もしくは一対の冷却用ペルチェ素子２４）の近傍の温度、ひいてはベッド本体１２の上部１８のうち上記一対の保温用ペルチェ素子２２（もしくは一対の冷却用ペルチェ素子２４）の近傍の温度を精度良く検知できる。
【００３４】
なお、本実施の形態では、ベッド本体１２の上部１８の温度及びベッド本体１２の周囲の温度の双方が検知される構成としたが、本発明はこれに代えて、ベッド本体１２の上部１８の温度及びベッド本体１２の周囲の温度の何れか一方が検知される構成としてもよい。また、本発明は、ベッド温度センサ３０及び周囲温度センサ３２を省略して、温度設定装置２８の図示しない操作部の操作結果に基づいて、保温用ペルチェ素子２２及び冷却用ペルチェ素子２４が駆動装置２６によって駆動される構成としてもよい。
【００３５】
また、本実施の形態では、駆動装置２６によって保温用ペルチェ素子２２及び冷却用ペルチェ素子２４の何れか一方が駆動される構成としたが、本発明はこれに代えて、例えば、ベッド本体１２の上部１８に横たわっている休息者の頭部付近の冷却用ペルチェ素子２４を駆動させると共に上記休息者の脚部付近の保温用ペルチェ素子２２を駆動させるというように、保温用ペルチェ素子２２と冷却用ペルチェ素子２４とを組み合わせて同時に駆動させる構成としてもよい。
【００３６】
また、本実施の形態では、全ての保温用ペルチェ素子２２が駆動される、あるいは全ての冷却用ペルチェ素子２４が駆動される構成としたが、本発明はこれに代えて、一部の保温用ペルチェ素子２２が駆動される、あるいは一部の冷却用ペルチェ素子２４が駆動される構成としてもよく、例えば、ベッド本体１２の上部１８に横たわっている休息者の頭部付近の冷却用ペルチェ素子２４だけを駆動させたり、あるいは上記休息者の腰部付近の保温用ペルチェ素子２２だけを駆動させたり、またあるいは上記休息者の腰部付近及び脚部付近の保温用ペルチェ素子２２だけを駆動させてもよい。
【図面の簡単な説明】
【００３７】
【図１】本発明の実施の形態に係るベッドの主要部の概略を示す斜視図（一部ブロック図）である。
【図２】図１の２−２線に沿った断面図である。
【図３】図１の３−３線に沿った断面図である。
【符号の説明】
【００３８】
１０    保温冷却ベッド（ベッド）
１２    ベッド本体
２２    保温用ペルチェ素子（温度調整手段）
２４    冷却用ペルチェ素子（温度調整手段）
２６    駆動装置（温度調整手段）
２８    温度設定装置（温度設定手段）
３０    ベッド温度センサ（温度センサ）
３２    周囲温度センサ（温度センサ）
【図１】
2008132087.tif 000003
【図２】
2008132087.tif 000004
【図３】
2008132087.tif 000005